(57)【特許請求の範囲】
【請求項１】
き電線の電圧を検知するための検知器と、き電線と接地線の間を開閉する接地器とを備え、き電線が所定の電圧以下の場合にき電線の接地操作を可能にする一方、所定の電圧以上の場合にき電線の接地操作を不能にするように制御する検電接地装置において、前記接地器はトロリ線に電力を供給する二回線のき電線をそれぞれ接地すべく二つ備え、一方の回線のき電線のみを接地する場合に、これらの接地器のき電線接続端子間を短絡する短絡バーであって、
一端部には、前記き電線の引込みケーブルの圧着端子をき電線接続端子に一体にねじ留めする端子部を有し、
他端部には、前記き電線接続端子に重ね合わせてねじ止めすることができるが、き電線の引込みケーブルの圧着端子を重ねるとそれとの間に介在して重ね合わせを妨げ、き電線接続端子への圧着端子のねじ留めを不能にする干渉部を備えた接続部を具備することを特徴とする検電接地装置用短絡バー。
【請求項２】
前記干渉部を設けた接続部の反対面に、前記き電線接続端子より幅の広い前記圧着端子との間に介在してき電線接続端子への圧着端子の重ね合わせを妨げる他の干渉部を有することを特徴とする請求項１又は２に記載の検電接地装置用短絡バー。
【請求項３】
前記干渉部は、前記接続部の縁部を立ち上げた突出片であることを特徴とする請求項１又は２に記載の検電接地装置用短絡バー。
【請求項４】
前記接続部には、前記圧着端子の二つの接続用ねじ孔のうち一方にのみ対応するねじ孔を有することを特徴とする請求項１から３に記載の検電接地装置用短絡バー。
【請求項５】
前記接続部は、前記き電線接続端子に重ねると接続端子の反対面を越えて本体が張り出す曲がり部を介して設けられ、前記圧着端子と干渉部との干渉を避けるために前記接続端子の一方の面に直接圧着端子を重ね、他方の面に接続部を重ねると、本体が圧着端子に干渉することを特徴とする請求項１から４の何れかに記載の検電接地装置用短絡バー。
【発明の詳細な説明】
【技術分野】
【０００１】
本発明は、電車線工事に先立ち、トロリ線に接続されるき電線の電圧を検出して無電圧状態のき電線を接地する一方、活線状態のき電線を接地させない検電接地装置の二つの並列する接地器同士を結合する短絡バーに関するものである。
【背景技術】
【０００２】
従来、検電接地装置は、地上に設置される箱体の内部に、トロリ線の電圧を検出するための抵抗器を有する検出器と、トロリ線を接地させるために経路を開閉する接地器とを備えている（特許文献１）。検出器が無電圧状態を検出すると、接地器の操作が可能になり、電車線工事等のためにトロリ線を接地することができる。一方、検出器が活線状態を検出すると、接地器の操作を受け付けず、トロリ線を接地することができない。接地器には、二回線のき電線及びレールに電気的に接続される引込みケーブルをそれぞれ接続する接続端子を備えている。接地器は二回線のき電線に対応して二つの開閉器を備え、レールに接続する一つの接地ケーブルに共に接続される。き電線が一回線の場合には、き電線接続端子間に短絡バーを接続し、き電線からの引込みケーブルは短絡バーと共に一方の端子に接続される。これにより、二つの開閉器を利用することができ、加圧検知故障に対して安全性の二重化が図られる。
【特許文献１】特開２０００−２３８５５８号公報
【発明の開示】
【発明が解決しようとする課題】
【０００３】
上記従来の検電接地装置における短絡バーは、平坦な長尺板状の導体で構成され、両端部にき電線接続端子にねじ留めするための二つのねじ孔をそれぞれ備えた端子部を有するものである。本来、短絡バーは一回線のき電線を接続するために装着されるものであるが、二回線のき電線を接続する場合にも何ら支障なく装着できてしまう。このような誤装着があると、一方の回線のき電線が電車線工事や故障等により停電状態であっても、短絡バーを通じてその回線に他方の回線電圧がかかってしまい、停電状態が検知されない不具合が生じるおそれがある。また、作業者が感電する危険があり安全管理上問題となる。
そこで、本発明は、二回線のき電線を接続する場合には、物理的に接続できない構造の検電接地装置用の短絡バーを提供することを課題としている。
【課題を解決するための手段】
【０００４】
上記課題を解決するため、本発明においては、き電線の電圧を検知するための検知器である抵抗器１２と、き電線と接地線の間を開閉する接地器３とを備え、き電線が所定の電圧以下の場合にき電線の接地操作を可能にする一方、所定の電圧以上の場合にき電線の接地操作を不能にするように制御する検電接地装置１に短絡バー２０を装着する構成とする。短絡バー２０は、トロリ線に電力を供給する二回線のき電線をそれぞれ接地すべく接続される二つの接地器３のき電線接続端子７，７間を短絡する。短絡バー２０の一端部には、き電線の引込みケーブルの圧着端子９ａをき電線接続端子７に一体にねじ留めする端子部２２を設け、他端部には、接続端子７に重ね合わせてねじ止めすることができるが、き電線の引込みケーブルの圧着端子９ａを重ねると、それとの間に介在して重ね合わせを妨げ、き電線接続端子７への圧着端子９ａのねじ留めを不能にする干渉部２３ｂを備えた接続部２３を設けた。
干渉部２３ｂを設けた接続部２３の反対面に、き電線接続端子７より幅の広い圧着端子９ａとの間に介在してき電線接続端子７への圧着端子の重ね合わせを妨げる他の干渉部３３ｃを設けた。
干渉部は接続部２３，３３の縁部を立ち上げた突出片２３ｂ，３３ｂ，３３ｃで構成した。
接続部２３，３３に圧着端子９ａの二つの接続用ねじ孔９ｂのうち一方にのみ対応するねじ孔２３ａ，３３ａを設けた。
接続部２３は、き電線接続端子７に重ねると、本体が接続端子７の反対面を越えて張り出す曲がり部２１を介して形成し、干渉部２３ｂの介在を避けるために接続端子７に圧着端子９ａを直接重ねると、本体が圧着端子９ａに干渉するようにした。
【発明の効果】
【０００５】
本発明においては、接続部２３の干渉部２３ｂがき電線の引込みケーブルの圧着端子９ａとの間に介在して板面を重ね合わせることができないから、圧着端子９ａを適正に接続することができなくなり、短絡バー２０を装着した状態での二回線のき電線の同時接続を行うことができないので、誤装着を回避することができ、誤接続による検電接地装置の不具合や、作業者の感電の危険を未然に防止することができる。短絡バー３０を表裏反転させた場合には、接続部３３の干渉部３３ｂがき電線接続端子７との間で干渉するため、誤装着を回避できる。
干渉部３３ｂを設けた接続部３３の反対面に他の干渉部３３ｃを設ければ、短絡バー３０との間にき電線接続端子７を挟んだ圧着端子９ａの誤接続を回避できる。
突出片２３ｂ，３３ｂ，３３ｃは接続部の縁部を立ち上げるだけできわめて簡単に加工することができる。
接続部２３，３３に接続用ねじ孔２３ａ，３３ａを一つのみ設けることとすれば、二孔の圧着端子９ａの誤接続を確実に認識させることができる。
接続部２３に曲がり部２１を介在させれば、干渉部２３ｂの介在を避けるために短絡バー３０との間にき電線接続端子７を挟んだ圧着端子９ａの誤接続を回避できる。
【発明を実施するための最良の形態】
【０００６】
本発明の実施の一形態を図面を参照して説明する。
図１乃至図２において、検電接地装置１は、地上に設置される箱体２内に収容されている。箱体２内には水平に渡された枠板２ａ上に接地器３が固定されている。接地器３はトロリ線に夫々電力を供給する二回線のき電線に対応して二つの電磁接触器を備え、それぞれ一方の接点３ｂ，３ｂがレールに接続される一つの接地ケーブル８に共につながる。接地器３の接点３ａ，３ａには、接地線接続端子６に連続する導体バー４が接続されている。接地線接続端子６にはレールＲに接続される接地ケーブル８が接続される。接地器３の他方の接点３ｂには、き電線接続端子７に連続する導体バー５がそれぞれ接続されている。接地器３は通常接点３ａ，３ｂ間が開いており、き電線が無電圧状態になったら閉じる。き電線接続端子７にはき電線に接続される引込みケーブル９が接続される。箱体２の底板２ｂには、これらのケーブル８，９を導入するためのゴムブッシュ１０が突設されている。接続端子６，７は、碍子１１を介して固定されている。導体バー４，５間には加圧状態を検知するための抵抗器１２が接続されている。トロリ線には通常ＤＣ１５００Ｖの電圧がかかるが、抵抗器１２の加圧状態の有無に応じて接地器３である電磁接触器の接点３ａ，３ｂ間が開閉される。
【０００７】
箱体２の内側上部には、前扉１３ａを備えた制御部１３を有する。前扉１３ａにはこの開閉と連動し、開放されたときに投入され、閉鎖したときに開くドアスイッチ１４が設けられている。制御部１３の前面には、ブレーカ１５、押しボタンスイッチ１６，１７、表示灯１８、警報ボリューム１９が設けられている。
【０００８】
き電線接続端子７，７間には、単一回線のき電線の検電接地を行う場合に、図３に示すように、短絡バー２０を接続する。短絡バー２０は、図４に示すように、略コ字形の長尺板状導体で構成され、一端部に端子部２２が、他端部に接続部２３がそれぞれクランク状の曲がり部２１を介して形成されている。端子部２２は、引込みケーブル９の圧着端子９ａと共にき電線接続端子７に接続するために、き電線接続端子７のねじ孔７ａ及び圧着端子９ａのねじ孔９ｂの対応位置に二つのねじ孔２２ａを有し、圧着端子９ａとき電線接続端子７との間に重ね合わせてねじ２４で一体に固定される。接続部２３は、き電線接続端子７及び圧着端子９ａのほぼ半分の長さを有し、き電線接続端子７のねじ孔７ａの一つに対応するねじ孔２３ａを有する。接続部２３の先端部には縁部を折り曲げてほぼ直角に立ち上げた突出片２３ｂを有する。き電線接続端子７上に接続部２３と圧着端子９ａとを重ねてねじ孔９ｂ，２３ａを合わせようとしても、突出片２３ｂが接続部２３上に突出するので板面同士を密着させることができない。曲がり部２１は、圧着端子９ａに隣接するケーブル９の端部の厚みを受け入れ、突出片２３ｂによる干渉を避けるためにき電線接続端子７を間に挟んで圧着端子９ａと接続部２３とを重ねると、圧着端子９ａ側に短絡バー２０が張り出してケーブル９の端部と干渉することになる。
【０００９】
この検電接地装置１は、制御部１３の前扉１３ａを開くと、前扉１３ａに連動してドアスイッチ１４が投入され、動作用の電源につながる。ここで、き電線に電圧がかかっていない場合には、「接地可能」の表示灯１８が点灯する。この状態で押しボタンスイッチ１６を押すと、接地器３が閉じると共に、「接地中」の表示灯１８が点灯する。これによって、安全が確認されるので工事作業を開始することができる。一方、き電線に電圧がかかっている場合には、「加圧中」の表示灯１８が点灯して注意を促し、押しボタンスイッチ１６を押しても、接地器３が接地動作しない。作業の終了後、接地器３が閉じている状態で、押しボタンスイッチ１７を押すと、接地器３を開くと共に、「接地取外」の表示灯１８が点灯する。これによってき電線が接地されていないことが確認される。
【００１０】
検電接地装置１においては、き電線が単一回線の場合に、き電線接続端子７，７間に短絡バー２０を接続して引込みケーブル９の圧着端子９ａを短絡バー２０の端子部２２に接続する。引込みケーブル９は、き電線接続端子７に重ねた端子部２２に圧着端子９ａを重ね、各ねじ孔７ａ，２２ａ，９ｂを一致させてねじ２４を挿通させ締め留めて接続する。接続部２３は、ねじ孔２３ａをき電線接続端子７の先端側のねじ孔７ａに一致させてねじ２４を挿通させ締め留めて接続する。
【００１１】
二回線のき電線にそれぞれつながる二本の引込みケーブル９，９を接続する場合には、検電接地装置１に短絡バー２０を装着することなく、これら引込みケーブル９，９の圧着端子９ａ，９ａをき電線接続端子７，７にそれぞれ接続する。もし、誤って一回線の場合と同様に短絡バー２０を装着して二本の引込みケーブル９，９を接続しようとしても、以下のパターンで接続を阻止し、誤操作を認識させる。例えば、端子部２２と同様にして、図５（Ａ）に示すように、接続部２３上に圧着端子９ａを重ねても、引込みケーブル９の圧着端子９ａのねじ孔９ｂに対応する接続部２３のねじ孔２３ａが一つしかないし、接続部２３の板面から突出片２３ｂが突出して圧着端子９ａの板面を重ね合わせることができない。圧着端子９ａが一つのみのねじ孔を備えた小型のものであっても、接続部２３の長手方向の長さが短いので、同様にして突出片２３ｂが接続を阻止する。同図（Ｂ）に示すように、短絡バー２０をき電線接続端子７の裏側に配置しても、接続部２３の板面から突出片２３ｂが突出するのでき電線接続端子７の板面に重ね合わせることができない。同図（Ｃ）（Ｄ）に示すように、圧着端子９ａと突出片２３ｂとの干渉を避けるために、き電線接続端子７を間に挟んで接続部２３と圧着端子９ａを重ねようとしても、短絡バー２０の曲がり部２１により短絡バー２０がケーブル９に向かって張り出すので、圧着端子９ａをき電線接続端子７に重ね合わせることができない。
【００１２】
本発明の他の実施形態を図６及び図７に示す。なお、先の実施形態におけるものと同一の構成部分は同一の符号を付して説明を省略する。検電接地装置２５の箱体２内には下部に接地器３である電磁接触器を収容し、その上部には加圧検知器２６を収容する。接地器３の一方の接点３ａには、接地線接続端子６に連続する導体バー２８が接続されている。接地線接続端子６には接地ケーブル８が接続される。接地器３の他方の接点３ｂには、き電線接続端子７に連続する導体バー２９がそれぞれ接続されている。き電線接続端子７にはき電線に接続される引込みケーブル９が接続される。検電接地装置２５はき電線の加圧状態を検知して、接地器３である電磁接触器の接点３ａ，３ｂ間を開閉させる。
【００１３】
箱体２の内側上部には、前扉１３ａを備えた制御部１３を有する。前扉１３ａにはこの開閉と連動し、開放されたときに投入され、閉鎖したときに開くドアスイッチ１４が設けられている。制御部１３の前面には、ブレーカ１５、押しボタンスイッチ１６，１７、表示灯１８、警報ボリューム１９、加圧検知器動作範囲設定用端子台２７ａ、リレー群２７ｂ、トランス２７ｃが設けられている。
【００１４】
き電線接続端子７，７間には、図８，図９に示すように、単一回線のき電線の検電接地を行う場合に、短絡バー３０を接続する。短絡バー３０は、長尺板状の導体で構成され、一端部に端子部３２を、他端部に接続部３３を有する。端子部３２は、引込みケーブル９の圧着端子９ａ及びき電線接続端子７の大きさに対応して長手方向と直交する方向に張り出す矩形状に形成されており、き電線接続端子７及び圧着端子９ａに接続するために、これらのねじ孔７ａ，９ｂの対応位置にねじ孔３２ａを有し、き電線接続端子７と圧着端子９ａとの間に重ね合わせてねじ２４で固定される。接続部３３はき電線接続端子７及び圧着端子９ａより縦長さがわずかに短く、かつ圧着端子９ａより横幅が短く構成され、き電線接続端子７の先端側のねじ孔７ａの対応位置に一つのねじ孔３３ａを有する。接続部３３の上下両先端縁はほぼ直角に折り曲げて立ち上げた突出片３３ｂを有する。き電線接続端子７上に接続部３３と圧着端子９ａを重ねてねじ孔７ａ，３３ａ，９ｂを合わせても、突出片３３ｂが接続部３３上に突出するので板面同士を密着させることができない。また、接続部３３の側縁には突出片３３ｂの反対側にほぼ直角に折り曲げて立ち上げた突出片３３ｃを有する。き電線接続端子７上に接続部３３を重ねて、き電線接続端子７の裏面に圧着端子９ａを重ねてねじ孔３３ａ，７ａ，９ｂを合わせても、突出片３３ｃがき電線接続端子７の裏側に突出するので、き電線接続端子７に圧着端子９ａを重ねて合わせて板面を密着させることができない。
【００１５】
この検電接地装置２５においては、先の実施形態におけるものと同様の操作により、き電線に電圧がかかっていないことを確認して、接地作業を行うことができ、き電線に電圧がかかっている場合には、接地作業を行うことができない。
【００１６】
この検電接地装置２５においてき電線が単一回線の場合には、き電線接続端子７，７間に短絡バー３０を接続して引込みケーブル９の圧着端子９ａを短絡バー３０の端子部３２に接続する。引込みケーブル９は、き電線接続端子７に重ねた短絡バー３０の端子部３２に圧着端子９ａを重ね、ねじ２４を挿通し締め留めて接続する。短絡バー３０の接続部３３は、ねじ孔３３ａをき電線接続端子７のねじ孔７ａに一致させねじ２４を挿通し締め留めて接続する。
【００１７】
二回線のき電線につながる二本の引込みケーブル９，９を接続する場合には短絡バー３０を装着することなく、これら引込みケーブル９，９の圧着端子９ａ，９ａを接続端子７，７にそれぞれ接続する。しかし、誤って一回線の場合と同様に短絡バー３０を装着して二本の引込みケーブル９，９を接続しようとしても、以下のパターンで接続を阻止し、誤操作を認識させる。例えば、端子部３２と同様にして、図１０（Ａ）に示すように、接続部３３上に圧着端子９ａを重ねても、引込みケーブル９の圧着端子９ａのねじ孔９ｂに対応する接続部３３のねじ孔３３ａが一つしかないし、接続部３３の板面から突出片３３ｂが突出するので圧着端子９ａの板面を接続部３３に重ね合わせることができない。圧着端子９ａが一つのみのねじ孔を備えた小型のものであっても、接続部３３のねじ孔３３ａに近い側の突出片３３ｂが接続部３３の板面から突出するので圧着端子９ａと接続部３３との板面を重ね合わせることができない。同図（Ｂ）に示すように、圧着端子９ａと突出片３３ｂとの干渉を避けるために、圧着端子９ａをき電線接続端子７の裏側に配置して、き電線接続端子７のねじ孔７ａに圧着端子９ａのねじ孔９ｂを合わせても、き電線接続端子７の裏側に突出片３３ｃが突出して圧着端子９ａの側縁と干渉するので、き電線接続端子７に圧着端子９ａを重ね合わせることができない。同図（Ｃ）に示すように、圧着端子９ａと突出片３３ｂとの干渉を避けるために、短絡バー３０を表裏反転させてき電線接続端子７に固定しようとしても、接続部３３の板面から突出片３３ｂが突出するので、接続部３３を接続端子７の板面に重ね合わせることができない。同図（Ｄ）に示すように、短絡バー３０を表裏反転させて、き電線接続端子７の裏側に配置し、き電線接続端子７のねじ孔７ａに圧着端子９ａのねじ孔９ｂを合わせようとしても、端子部３２の先端が導体バー２９に干渉するからねじ孔７ａ，３２ａを合わせることができないし、き電線接続端子７の表側に突出片３３ｃが突出して圧着端子９ａと干渉するので、き電線接続端子７に圧着端子９ａを重ね合わせることもできない。同図（Ｅ）に示すように、短絡バー３０を左右反転させて、圧着端子９ａのねじ孔９ｂを接続部３３のねじ孔３３ａに合わせても、接続部３３の板面から突出片３３ｂが突出するので圧着端子９ａの板面を接続部３３に重ね合わせることができない。圧着端子９ａが一つのみのねじ孔を備えた小型のものであっても、接続部３３のねじ孔３３ａに近い側の突出片３３ｂが接続部３３の板面から突出するので、接続部３３に圧着端子９ａの板面を重ね合わせることができない。
従って、短絡バー３０は、二回線のき電線をき電線接続端子７に接続する場合に、接続部３３に引き込みケーブルの圧着端子９ａを接続することができなかったり、短絡バー３０自体を固定することができないので、一回線のき電線をき電線接続端子７に接続する場合にのみ適切に装着することができる。
【産業上の利用可能性】
【００１８】
本発明は、電車線工事に先立ち、トロリ線の電圧を検出して無電圧状態のトロリ線を接地する一方、活線状態のトロリ線を接地させない検電接地装置の短絡バーの誤装着を防止するのに有効である。
【図面の簡単な説明】
【００１９】
【図１】検電接地装置の正面図である。
【図２】検電接地装置の側面図である。
【図３】本発明に係る短絡バーを装着した状態の端子の側面図である。
【図４】本発明に係る短絡バーの斜視図である。
【図５】（Ａ）（Ｂ）（Ｃ）（Ｄ）は誤接続した状態の短絡バーの側面図である。
【図６】他の実施形態の検電接地装置の正面図である。
【図７】他の実施形態の検電接地装置の側面図である。
【図８】他の実施形態の短絡バーを装着した状態の端子の側面図である。
【図９】他の実施形態の短絡バーの斜視図である。
【図１０】（Ａ）（Ｂ）（Ｃ）（Ｄ）（Ｅ）は誤接続した状態の短絡バーの側面図である。
【符号の説明】
【００２０】
１    検電接地装置
３    接地器
４    導体バー
５    導体バー
６    端子
７    端子
８    接地ケーブル
９    引込みケーブル
９ａ  圧着端子
１２    抵抗器
２０    短絡バー
２１    曲がり部
２２    端子部
２２ａ  ねじ孔
２３    接続部
２３ａ  ねじ孔
２３ｂ  突出片
２４    ねじ
２５    検電接地装置
２６    加圧検知器
２８    導体バー
２９    導体バー
３０    短絡バー
３２    端子部
３２ａ  ねじ孔
３３    接続部
３３ｂ  突出片
３３ｃ  突出片
【図１】
0005105530.tif 000002
【図２】
0005105530.tif 000003
【図３】
0005105530.tif 000004
【図４】
0005105530.tif 000005
【図５】
0005105530.tif 000006
【図６】
0005105530.tif 000007
【図７】
0005105530.tif 000008
【図８】
0005105530.tif 000009
【図９】
0005105530.tif 000010
【図１０】
0005105530.tif 000011